(57)【要約】  【課題】  当該電気機器を他の電気機器にケーブルによって接続する場合、当該電気機器の筐体を動かさなくても、ケーブルを接続することが可能な電気機器の筐体を提供する。  【解決手段】  当該電気機器と他の電気機器とをケーブル１０，１１，１２により電気的に接続する場合、接続パネル３を接続面部に対して閉状態になっている状態から開方向に１８０度回動させると、これに伴って回動軸１９が支軸２０に対して１８０度回動して、接続パネル３が起こされた状態で停止する。そして、ケーブル１０，１１，１２と接続パネル３の接続端子との接続が完了すると、接続パネル３を閉方向に１８０度回動させると、これに伴って回動軸１９が支軸２０に対して−１８０度回動して、接続パネル３が閉じられた状態に設定され、接続面部の接続端子と接続パネル３の接続端子とが接続される。  【選択図】      図３
2006269314.tif 000002
【特許請求の範囲】
【請求項１】
前面に設けられた操作パネルと、背面に設けられ他の電気機器と電気的に接続するため
の接続端子を有する接続面部とを備えた電気機器の筐体において、前記背面の上辺部に沿
って取り付けられた支軸および該支軸に対して９０度以上の所定角度回動して停止する回
動軸を有する接合部と、前記接続面部と同様の面形状であり、前記接続面部の接続端子に
対応した中間接続用の接続端子を有し、前記接合部の回動軸にパネル上辺部が取り付けら
れた接続パネルとを設け、当該電気機器と他の電気機器とをケーブルにより電気的に接続
する場合、前記接続パネルを前記接続面部に対して閉状態になっている状態から開方向に
９０度以上の所定角度回動させ、前記ケーブルと前記接続パネルの接続端子との接続が完
了すると、前記接続パネルを閉方向に９０度以上の所定角度回動させて、前記接続面部の
接続端子と前記接続パネルの接続端子とが接続される構成を有することを特徴とする電気
機器の筐体。
【請求項２】
前面に設けられた操作パネルと、背面に設けられ他の電気機器と電気的に接続するため
の接続端子を有する接続面部とを備えた電気機器の筐体において、前記接続面部と同様の
面形状であり、前記接続面部の接続端子に対応した中間接続用の接続端子を有し、前記背
面の上辺部を中心に９０度以上の所定角度回動自在な接続パネルを設けたことを特徴とす
る電気機器の筐体。
【請求項３】
前記背面の上辺部に沿って取り付けられた支軸および該支軸に対して９０度以上の所定
角度回動して停止する回動軸を有する接合部を設け、前記接続パネルは、前記接合部の回
動軸にパネル上辺部が取り付けられることにより、前記背面の上辺部を中心に９０度以上
の所定角度回動自在になるように構成されたことを特徴とする請求項２に記載の電気機器
の筐体。
【請求項４】
当該電気機器と他の電気機器とをケーブルにより電気的に接続する場合、前記接続パネ
ルを前記接続面部に対して閉状態になっている状態から開方向に９０度以上の所定角度回
動させ、ケーブルと前記接続パネルの接続端子との接続が完了すると、前記接続パネルを
閉方向に９０度以上の所定角度回動させて、前記接続面部の接続端子と前記接続パネルの
接続端子とが接続される構成を有することを特徴とする請求項２に記載の電気機器の筐体
。
【発明の詳細な説明】
【技術分野】
【０００１】
本発明は、前面に設けられた操作パネルと、背面に設けられ他の電気機器と電気的に接
続するための接続端子を有する接続面部とを備えた電気機器の筐体に関する。
【背景技術】
【０００２】
例えば、ＤＶＤ（デジタル・バーサタイル・ディスク）レコーダやＶＣＲ（ビデオ・カ
セット・レコーダ）などの電気機器（以下第１の電気機器という）は、テレビジョン受信
機やオーディオ機器などの他の電気機器（以下第２の電気機器という）と電気的に接続し
て用いられているのが一般的である。第１の電気機器には、筐体の前面に操作キーや表示
部などが設けられた操作パネルと、筐体の背面に設けられ第２の電気機器と接続するため
の複数の接続端子を有する接続面部とが備えられている。第１の電気機器を第２の電気機
器と電気的に接続するには、第１の電気機器の接続端子と第２の電気機器の接続端子とを
接続するケーブルが用いられる。
【特許文献１】実開昭６２−８４９７９号公報
【発明の開示】
【発明が解決しようとする課題】
【０００３】
ところで、第１の電気機器を第２の電気機器と電気的に接続する際、第１の電気機器の
背面に設けられている接続面部の接続端子にケーブルの接続端子を接続しなければならな
いので、ユーザは、ケーブルの接続端子を接続面部の接続端子に差し込む必要があるが、
第１の電気機器が所望の場所にセッティングされていた場合、ユーザは、第１の電気機器
の背面を見ることができないので、第１の電気機器をセッティングされている場所から動
かして取り出し、その筐体の背面を見て確認し、接続面部の接続端子にケーブルの接続端
子を接続しなければならなず、ユーザにとっては接続作業が面倒であった。
【０００４】
なお、特許文献１の従来技術は、互いに組み合わせて使用する第１，第２の電気機器を
隣接配備し、両電気機器を電気的に着脱可能に連結する接続装置であって、第１の電気機
器と第２の電気機器とが離れて置かれ、ケーブルによって接続される構成のものではない
。
【０００５】
本発明は、上記のような課題を解決するためになされたもので、当該電気機器を他の電
気機器にケーブルによって接続する場合、当該電気機器の筐体を動かさなくても、ケーブ
ルを接続することが可能な電気機器の筐体を提供することを目的とする。
【課題を解決するための手段】
【０００６】
上記目的を達成するために、請求項１の発明は、前面に設けられた操作パネルと、背面
に設けられ他の電気機器と電気的に接続するための接続端子を有する接続面部とを備えた
電気機器の筐体において、前記背面の上辺部に沿って取り付けられた支軸および該支軸に
対して９０度以上の所定角度回動して停止する回動軸を有する接合部と、前記接続面部と
同様の面形状であり、前記接続面部の接続端子に対応した中間接続用の接続端子を有し、
前記接合部の回動軸にパネル上辺部が取り付けられた接続パネルとを設け、当該電気機器
と他の電気機器とをケーブルにより電気的に接続する場合、前記接続パネルを前記接続面
部に対して閉状態になっている状態から開方向に９０度以上の所定角度回動させ、前記ケ
ーブルと前記接続パネルの接続端子との接続が完了すると、前記接続パネルを閉方向に９
０度以上の所定角度回動させて、前記接続面部の接続端子と前記接続パネルの接続端子と
が接続される構成を有することを特徴とする電気機器の筐体を提供する。
【０００７】
この構成において、当該電気機器と他の電気機器とをケーブルにより電気的に接続する
場合、前記接続パネルを前記接続面部に対して閉状態になっている状態から開方向に９０
度以上の所定角度回動させると、これに伴って回動軸が支軸に対して９０度以上の所定角
度回動して、接続パネルが起こされた状態で停止する。そして、前記ケーブルの接続端子
と前記接続パネルの接続端子との接続が完了すると、前記接続パネルを閉方向に９０度以
上の所定角度回動させると、これに伴って回動軸が支軸に対して−９０度以上の所定角度
回動して、接続パネルが倒されて閉じられた状態に設定される。接続パネルを倒して閉じ
た状態のときは、接続面部の接続端子と接続パネルの接続端子とが接続がされる。
【０００８】
この構成によれば、当該電気機器の筐体の背面の接続面部に対応した接続パネルを設け
、この接続パネルを手前に起こすことによって正面からでも、接続パネルを見ることがで
き、即ち、接続面を見ることができ、これにより、当該電気機器を他の電気機器にケーブ
ルによって接続する場合、当該電気機器の筐体を動かさなくても、ケーブルを接続するこ
とができる。例えば、セッティングされた場所から当該電気機器を取り出したり、ひっく
り返したりすることなく、ケーブルを接続することができる。
【０００９】
請求項２の発明は、前面に設けられた操作パネルと、背面に設けられ他の電気機器と電
気的に接続するための接続端子を有する接続面部とを備えた電気機器の筐体において、前
記接続面部と同様の面形状であり、前記接続面部の接続端子に対応した中間接続用の接続
端子を有し、前記背面の上辺部を中心に９０度以上の所定角度回動自在な接続パネルを設
けたことを特徴とする電気機器の筐体を提供する。
【００１０】
この構成において、当該電気機器と他の電気機器とをケーブルにより電気的に接続する
場合、前記接続パネルを前記接続面部に対して閉状態になっている状態から開方向に９０
度以上の所定角度回動させると、接続パネルが起こされた状態となる。そして、前記ケー
ブルと前記接続パネルの接続端子との接続が完了すると、前記接続パネルを閉方向に９０
度以上の所定角度回動させると、接続パネルが倒されて閉じられた状態に設定される。
【００１１】
この構成によれば、当該電気機器の筐体の背面の接続面部に対応した接続パネルを設け
、この接続パネルを手前に起こすことによって正面からでも、接続パネルを見ることがで
き、即ち、接続面を見ることができ、これにより、当該電気機器を他の電気機器にケーブ
ルによって接続する場合、当該電気機器の筐体を動かさなくても、ケーブルを接続するこ
とができる。例えば、セッティングされた場所から当該電気機器を取り出したり、ひっく
り返したりすることなく、ケーブルを接続することができる。
【００１２】
請求項３の発明では、請求項２の発明において、前記背面の上辺部に沿って取り付けら
れた支軸および該支軸に対して９０度以上の所定角度回動して停止する回動軸を有する接
合部を設け、前記接続パネルは、前記接合部の回動軸にパネル上辺部が取り付けられるこ
とにより、前記背面の上辺部を中心に９０度以上の所定角度回動自在になるように構成さ
れたので、接続パネルを起こしたり、倒して閉じたりすることが可能になる。
【００１３】
請求項４の発明では、請求項２の発明において、当該電気機器と他の電気機器とをケー
ブルにより電気的に接続する場合、前記接続パネルを前記接続面部に対して閉状態になっ
ている状態から開方向に９０度以上の所定角度回動させ、ケーブルと前記接続パネルの接
続端子との接続が完了すると、前記接続パネルを閉方向に９０度以上の所定角度回動させ
て、前記接続面部の接続端子と前記接続パネルの接続端子とが接続される構成を有するの
で、当該電気機器と他の電気機器とをケーブルにより電気的に接続する場合、接続パネル
を起こしてケーブルを接続でき、接続パネルを倒して閉じた状態のとき、接続面部の接続
端子と接続パネルの接続端子との接続が可能となる。
【発明の効果】
【００１４】
以上のように本発明によれば、前面に設けられた操作パネルと、背面に設けられ他の電
気機器と電気的に接続するための接続端子を有する接続面部とを備えた電気機器の筐体に
おいて、前記背面の上辺部に沿って取り付けられた支軸および該支軸に対して９０度以上
の所定角度回動して停止する回動軸を有する接合部と、前記接続面部と同様の面形状であ
り、前記接続面部の接続端子に対応した中間接続用の接続端子を有し、前記接合部の回動
軸にパネル上辺部が取り付けられた接続パネルとを設け、当該電気機器と他の電気機器と
をケーブルにより電気的に接続する場合、前記接続パネルを前記接続面部に対して閉状態
になっている状態から開方向に９０度以上の所定角度回動させ、前記ケーブルと前記接続
パネルの接続端子との接続が完了すると、前記接続パネルを閉方向に９０度以上の所定角
度回動させて、前記接続面部の接続端子と前記接続パネルの接続端子とが接続される構成
を有するので、接続パネルを手前に起こすことによって正面からでも、接続パネルを見る
ことができ、即ち、接続面を見ることができ、これにより、当該電気機器を他の電気機器
にケーブルによって接続する場合、当該電気機器の筐体を動かさなくても、ケーブルを接
続することができる。例えば、セッティングされた場所から当該電気機器を取り出したり
、ひっくり返したりすることなく、ケーブルを接続することができる。
【００１５】
また、本発明によれば、前面に設けられた操作パネルと、背面に設けられ他の電気機器
と電気的に接続するための接続端子を有する接続面部とを備えた電気機器の筐体において
、前記接続面部と同様の面形状であり、前記接続面部の接続端子に対応した中間接続用の
接続端子を有し、前記背面の上辺部を中心に９０度以上の所定角度回動自在な接続パネル
を設けたので、接続パネルを手前に起こすことによって正面からでも、接続パネルを見る
ことができ、即ち、接続面を見ることができ、これにより、当該電気機器を他の電気機器
にケーブルによって接続する場合、当該電気機器の筐体を動かさなくても、ケーブルを接
続することができる。例えば、セッティングされた場所から当該電気機器を取り出したり
、ひっくり返したりすることなく、ケーブルを接続することができる。
【発明を実施するための最良の形態】
【００１６】
以下、添付図面を参照しつつ、本発明の実施の形態について説明する。図１〜図８は本
発明の一実施形態に係る電気機器の筐体に関する簡略構成を説明するための図である。図
１はケーブルが接続される前の状態で電気機器の筐体を後方から見た斜視図である。図２
は接続パネルを起こした時の状態で電気機器の筐体を正面から見た斜視図である。図３は
ケーブルが接続されている状態で電気機器の筐体を正面から見た斜視図である。図４はケ
ーブルが接続されて接続パネルが閉じられている状態で電気機器の筐体を後方から見た斜
視図である。図５は接続パネルが開く方向に９０度回動した状態で電気機器の筐体を上方
から見た上面図である。図６は接続パネルが開く方向に１８０度回動したときの接合部の
支軸と回動軸との位置関係を説明するための図である。図７は接続パネルの接続端子が接
続面部の接続端子に接続される様子を説明するための図である。図８は接続面部の接続端
子の平面図である。
【００１７】
以下、図１〜図８を参照して説明する。電気機器の筐体１は、正面に表示部１５および
操作キー１６，１７，１８を有した操作パネル２を備え、背面に接続面部１ｄを備え、更
に、その接続面部１ｄに対向して接続パネル３が設けられている（図１、図７参照）。な
お、図１〜図４において、１ａは筐体１の上面を示し、１ｂは筐体１を正面から見て右側
の側面を示し、１ｃは筐体１を正面から見て左側の側面を示す。接続パネル３は接続面部
１ｄと同様の面形状を有する。接続面部１ｄには、図示しない回路基板にリード線を介し
て接続された接続端子２６，２７，２８が設けられている（図７参照）。接続パネル３に
は、接続面部１ｄの接続端子２６，２７，２８と、図示しない他の電気機器とをケーブル
１０，１１，１２を介して接続するための中間的な接続端子である接続端子４，５，６が
設けられている（図１、図４、図７参照）。
【００１８】
接合部２９は、筐体１の背面の上辺部（上面部１ａの後方の端辺）に沿って取り付けら
れた円筒状の支軸２０と、この支軸２０の内周に位置し支軸２０に対して１８０度回動す
る円柱状の回動軸１９とを有している（図６、図７参照）。回動軸１９には、接続パネル
３の上方の端辺が取り付けられ、支軸２０に対して１８０度回動自在になっている。回動
軸１９の外周の所定箇所には、切り欠け２４が形成され、この切り欠け２４には弾性板２
３が設けられ、この弾性板２３と支軸２０の内周との間には球２５が設けられている。支
軸２０には、回動軸１９が回動したときに停止する回動位置を設定するために球２５が嵌
め込まれる、切り欠け２１と、この切り欠け２１に対して１８０度ずれた位置に有る切り
欠け２２とが、内周の２箇所に形成されている。
【００１９】
ここで、当該電気機器と他の電気機器とをケーブルにより電気的に接続する場合を説明
する。先ず、他の電気機器と接続するためのケーブル１０，１１，１２を、当該電気機器
の筐体１の背面にある接続パネル３の接続端子７，８，９にそれぞれ接続するため、接続
パネル３が筐体１の背面を閉じている状態から接続パネル３を開方向に１８０度回動させ
て起こす（図２）。この場合、接続パネル３が閉じているときは、接合部２９における回
動軸１９の球２５が支軸２０の切り欠け２１に嵌め込まれていて、この状態から接合パネ
ル３を開方向に回動させると、切り欠け２１を抜けた球２５は支軸２０の内周を摺動しな
がら移動し、１８０度回動した位置で球２５が支軸２０の切り欠け２２に嵌め込まれる（
図６参照）。これにより、接続パネル３は、１８０度回動した位置で安定した状態になる
。なお、球２５は、切り欠け２１や切り欠け２２に位置していないときは、回動軸１９の
弾性板２３を押し下げるので、支軸２０の内周を移動することができる。
【００２０】
図２に示すように、接続パネル３を起こした状態にしてから、図３に示すように、ケー
ブル１０，１１，１２の接続端子７，８，９を接続パネル３の接続端子４，５，６にそれ
ぞれ接続する。この後、接続パネル３を閉じる方向に回動させ、接続パネル３が倒され閉
じられると、接続パネル３の接続端子４，５，６は接続面部１ｄの接続端子２６，２７，
２８にそれぞれ接続される（図７参照）。接続面部１ｄの接続端子２６，２７，２８は、
図８に示すような形状を有し、正極の端子が挿入される正極端子挿入部ａと、この正極端
子挿入口ａと絶縁体ｃを挟んで設けられた負極端子接触部ｂとから構成されている。これ
らの端子構造については周知であるので、ここでは詳細説明は省略する。
【００２１】
ケーブル１０，１１，１２が接続パネル３の接続端子４，５，６にそれぞれ接続され、
接続パネル３が閉じられると、図４に示すような状態になる。接続パネル３が倒されて閉
じられた状態のときは、接合部２９における回動軸１９の球２５が支軸２０の切り欠け２
１に嵌め込まれていて、接続パネル３は安定した状態で筐体１の背面を閉じることになる
。
【００２２】
なお、本実施形態では、接続パネル３を接合部２９に対して１８０度回動自在で、かつ
、接続パネル３が閉じた状態と開いた状態とを安定させるのに、図６に示すような構成の
接合部２９を用いたが、これに限らず、接続パネル３が１８０度回動自在で、かつ、接続
パネル３が閉じた状態と開いた状態とを安定させるような構成のものであれば良い。また
、接続パネル３の回動角度は、１８０度に限らず、ケーブル１０，１１，１２が接続可能
な状態まで接続パネル３を起こせば良いので、９０度以上の所定角度でも良い。この場合
、接合部２９における支軸２０の切り欠け２２の位置を変えれば、所望する回動角度で、
接続パネル３を起こした状態で止めることが可能になる。
【００２３】
以上説明したように本実施形態によれば、当該電気機器の筐体１の背面の接続面部１ｄ
に対応した接続パネル３を設け、この接続パネル３を手前に起こすことによって正面から
でも、接続パネル３を見ることができ、即ち、接続面を見ることができ、これにより、当
該電気機器を他の電気機器にケーブル１０，１１，１２などによって接続する場合、当該
電気機器の筐体１を動かさなくても、ケーブル１０，１１，１２などを接続することがで
きる。例えば、セッティングされた場所から当該電気機器を取り出したり、ひっくり返し
たりすることなく、ケーブル１０，１１，１２などを接続することができる。
【図面の簡単な説明】
【００２４】
【図１】本発明の一実施形態においてケーブルが接続される前の状態で電気機器の筐体を後方から見た斜視図である。
【図２】前記実施形態において接続パネルを起こした時の状態で電気機器の筐体を正面から見た斜視図である。
【図３】前記実施形態においてケーブルが接続されている状態で電気機器の筐体を正面から見た斜視図である。
【図４】前記実施形態においてケーブルが接続されて接続パネルが閉じられている状態で電気機器の筐体を後方から見た斜視図である。
【図５】前記実施形態において接続パネルが開く方向に９０度回動した状態で電気機器の筐体を上方から見た上面図である。
【図６】前記実施形態において接続パネルが開く方向に１８０度回動したときの接合部の支軸と回動軸との位置関係を説明するための図である。
【図７】前記実施形態において接続パネルの接続端子が接続面部の接続端子に接続される様子を説明するための図である。
【図８】前記実施形態における接続面部の接続端子の平面図である。
【符号の説明】
【００２５】
１    筐体
１ｂ    接続面部
２    操作パネル
３    接続パネル
４，５，６接続端子（接続パネル側の接続端子）
１０，１１，１２    ケーブル
１９    回動軸
２０    支軸
２６，２７，２８    接続端子（接続面部側の接続端子）
２９    接合部
【図１】
2006269314.tif 000003
【図２】
2006269314.tif 000004
【図３】
2006269314.tif 000005
【図４】
2006269314.tif 000006
【図５】
2006269314.tif 000007
【図６】
2006269314.tif 000008
【図７】
2006269314.tif 000009
【図８】
2006269314.tif 000010